(57)【要約】      （修正有）【課題】光源からの光を十分に生かすことのできる小型プロジェクター用光学エンジンを提供する。【解決手段】光学エンジンは、光源１０Ｇ、１０Ｒ、１０Ｂと、光源からの光を分離する偏光スプリッタ５０Ｇ、５０Ｒ、５０Ｂと、光を映像画面に変換する二つの光変調器６０と、光変調器を通った後の光路を調整する少なくとも二枚の偏光スプリッタ８０を含む。【選択図】図１
0003174812.tif 000002
【実用新案登録請求の範囲】
【請求項１】
少なくとも一つの光源と、
前記光源からの光を二つの光路に分離させ、この二つの光路の偏光モードを異ならせる偏光スプリッタと、
それぞれ前記二つの光路の光を映像画面に変換することに用いられる二つの光変調器と、
前記二つの光変調器を通った前記二つの光路を同じ光路に調整することに用いられる少なくとも二枚の偏光スプリッタと、
を備えることを特徴とする小型プロジェクター用光学エンジン。
【請求項２】
前記光源が数多くあることを特徴とする、請求項１記載の小型プロジェクター用光学エンジン。
【請求項３】
前記光源が赤、緑、青という三つ色のレーザー光源で、前記偏光スプリッタが緑色レーザーのみを二本の光路に分離させ、赤、青の二つの色のレーザーがただ一本の光路だけにあることを特徴とする、請求項２記載の小型プロジェクター用光学エンジン。
【請求項４】
前記光源と光変調器との間に、スペックル減少用ディフューザーがあることを特徴とする、請求項３記載の小型プロジェクター用光学エンジン。
【請求項５】
前記光変調器が１フレームの時間を三つのタイムスライスに分け、各タイムスライスで前記光源に対応する映像を調整して、その中、緑色レーザー光路にある光変調器がただ緑色レーザー光源と対応するタイムスライスだけにおいて映像調整をすることを特徴とする、請求項３記載の小型プロジェクター用光学エンジン。
【請求項６】
前記光源が赤、緑、青の三色のＬＥＤ光源であり、この三つの光源の光がまず一本の光路に合わせられて、それから偏光スプリッタによって二本の光路に分離されることを特徴とする、請求項２記載の小型プロジェクター用光学エンジン。
【請求項７】
前記光源が少なくともレーザー光源を一つ、ＬＥＤ光源を一つ含むことを特徴とする、請求項２記載の小型プロジェクター用光学エンジン。
【請求項８】
前記偏光スプリッタの厚さが５３２ｎｍの２ｎπ倍で、ここでｎは整数であることを特徴とする、請求項１から７のいずれかに記載の小型プロジェクター用光学エンジン。
【請求項９】
前記各偏光スプリッタの偏光軸が同じであることを特徴とする、請求項１から８のいずれかに記載の小型プロジェクター用光学エンジン。
【請求項１０】
前記光変調器は、液晶表示装置、デジタルマイクロミラーデバイス、ＬＣＯＳの一つであることを特徴とする、請求項１から９のいずれかに記載された小型プロジェクター用光学エンジン。
【考案の詳細な説明】
【技術分野】
【０００１】
本考案は、ポータブルな小型プロジェクターに関し、特に、光源からの光のもとに利用しない偏光を再利用できる光学エンジンを含む小型プロジェクターに関する。
【背景技術】
【０００２】
手のひらより小さいポータブル小型プロジェクター、またはノートパソコンに入れられるプロジェクターを商業化にするためには、小型、低消費電力のプロジェクターを開発する必要がある。プロジェクターの小型化を実現するためには、小型、高光度の光源を利用する必要がある。
【０００３】
ポータブル小型プロジェクターを携帯電話に適用するためには、バッテリーで駆動することができるべきで、そのため、消費電力が比較的低く、効率の高い光源を使用しなくてはならない。このような低消費電力式小型プロジェクターの光源は、レーザー光源或いはＬＥＤ（Light Emitting Diode）光源が好ましい。レーザー光源は、低消費電力、高光度の効率高い光源と広く認められている。
【０００４】
小型プロジェクターは、光変調器によって光源からの光を映像画面に変換する。現在、この光変調器は、普通、液晶を使った投射型／反射型ＬＣＤ（Liquid Crystal Display）とＬＣＯＳ（Liquid Crystal On Silicon）である。しかし、前記の光変調器は、偏光を利用して映像画面を変換するので、光源からの光を光変調器に入射する前に、普通、偏光板（Polarizer）によってＰ偏光とＳ偏光との内一つを選んで、その他は捨てられる。ここで、Ｓ偏光の光ベクトル（電界強度ベクトル）の振動方向は、入射面に垂直であり、Ｐ偏光の光ベクトルの振動方向は、入射面と平行である。入射面とは、界面法線と入射光線の波数ベクトル方向とからなっている平面である。
【０００５】
レーザー光源は、元から位相の同じ線形偏光なので、前記の光変調器をかなり適合する。
【０００６】
映像画面を表現するには、緑／青／赤という三原色のレーザーを必要とする。目下、青及び赤の半導体レーザーが既に存在しているが、ソリッドステート（Solid state）の緑色レーザーは、まだ開発されていない。この問題を解決するためには、周波数逓倍技術（Frequency Doubling）を利用することができる。周波数逓倍とは、長波長のレーザーを短波長のレーザーに変換することである。
【０００７】
波長λ、速度Ｖ、周波数ｆの間の関係：  Ｖ＝λ＊ｆ
【０００８】
光の速度は一定なので、光の周波数を二倍高めると、波長は１／２減少する。５３２ｎｍの緑の光を得るには、１０６４ｎｍのＩＲ光を周波数逓倍して、半減された波長５３２ｎｍの光を得ることができる。しかし、周波数逓倍中、レーザーの線形偏光の割合は元の７０％〜８０％に減少する。線形偏光の割合の減少に従って、廃棄光も増加するが、緑色光は、白色光量に影響する原色光なので、光効率に対して大きく影響する。
【０００９】
ＬＥＤ光源の光効率は、レーザー光源より悪い。ＬＥＤ光源は混合光であり、線形偏光しないから、緑／青／赤という三原色は、みな光変調器先の入射偏光板によってほぼ半分の光を濾過して、それにより、線形偏光を達成する。
【考案の概要】
【考案が解決しようとする課題】
【００１０】
現有の光学エンジン構造が線形偏光を達成するためには、かなりの光を濾過しなくてはならず、濾過された光は、徐々に熱に転換され、そのため、光学エンジンの発熱を起こし、また、光効率の低下のため、消費電力が向上するという問題もある。
【００１１】
本考案は、光源からの光を十分生かすことのできる小型プロジェクター用光学エンジンを提供することを目的とする。
【課題を解決するための手段】
【００１２】
上述の技術問題を解決するために、本考案の実施例は、小型プロジェクター用光学エンジンを提供する。この光学エンジンは、
少なくとも一つの光源と、
光源からの光を二つの光路に分離させ、この二つの光路の偏光モードを異ならせる偏光スプリッタと、
それぞれ二つの光路の光を映像画面に変換する二つの光変調器と、
二つの光変調器を通った後の二本の光路を同じ光路に調整する少なくとも二枚の偏光スプリッタと、を含む。
【考案の効果】
【００１３】
本考案の実施例の、現有の技術と比べた主な相違点及びその効果は、次の通りである。
【００１４】
光源から発射された光を二本の偏波モードの異なった光路に分離させ、それぞれ光変調された後、一つの光路に合わせて、それにより、元に濾過された偏光を十分に生かして光源の効率を高めることができ、光学エンジンの消費電力と発熱量とを減少させる。
【００１５】
さらに、三原色レーザー光源に対しては、緑色レーザーのみに光路分け処理を行い、それにより、偏光スプリッタの厚さを設定し、異なった光路の光路差による位相差を完全に除去でき、特に緑色レーザーを周波数逓倍のみで得られることを可能にする。
【００１６】
さらに、レーザー光源と光変調器との間にディフューザーを設けることによって、レーザースペックルの影響をかなり減少できる。
【００１７】
さらに、ＬＥＤ光源については、三つの光源からの光を同一路に合わせた後、一つの偏光装置によって光路分け処理をする。したがって、少ない装置によって様々な光に対して統一的に処理できて、特にＬＥＤ光源からの光が混合光である場合に適する。
【００１８】
さらに、ＬＥＤの場合、全波長の光は、全部偏光に分離され、そして、光度において、緑色光の影響が最も大きく、偏光スプリッタの厚さＴを、緑色光の波長５３２ｎｍの２ｎπ倍（ｎは整数）に調整することが最善である。
【図面の簡単な説明】
【００１９】
【図１】図１は、一本のみの光路から構成された小型プロジェクターの光学エンジンの概略図である。
【図２】図２は、本考案の第一実施例における、レーザー光源を光学エンジンとする概略図である。
【図３】図３は、本考案の第二実施例における、ＬＥＤ光源を光学エンジンとする概略図である。
【図４】図４は、本考案の第二実施例における、もう一つのＬＥＤ光源を光学エンジンとする概略図である。
【図５】図５は、本考案によって設計された偏光スプリッタの構造図の概略図である。
【図６】図６は、第三実施例における、一つの光源だけを用いた光学エンジンの概略図である。
【考案を実施するための形態】
【００２０】
以下では、読者に、より良く本出願を理解させるように多くの詳細な技術を記述した。しかしながら、当該分野の技術者は、これらの詳細な技術及び下記の各実施例に基づいた様々な変更と改修がなくても、本出願の各実用新案登録請求の保護を求められる技術方案を実現できることが分かるわけである。
【００２１】
本考案の目的、技術方案、及び利点をより明らかにするために、以下、添付図面によって本考案の実施例についてさらに詳しく説明する。
【００２２】
本考案の一つの重要な新規点は、光源からの光を二本の偏光方式の異なった光路に分離させ、それぞれ、この二本の光路に対して調整を行った後、一つの光路に合わせることである。比較のために、まず、本考案の新規点を利用していない技術方案について説明する。この技術方案は、図１の通りである。
【００２３】
この反射型の光学エンジンは、次のようなものを含む。
【００２４】
Ｒ光源（１０Ｒ）、Ｇ光源（１０Ｇ）、Ｂ光源（１０Ｂ）、スプリッタ５０Ｒ、５０Ｇ、５０Ｂ、ディフューザー（２０）、ビームシェーパー（３０）、対物レンズ（４０）、光変調器（６０）、投影レンズ（７０）、偏光スプリッタ（８０）。ここで、Ｒは赤を、Ｇは緑を、Ｂは青を示す。
【００２５】
Ｒ／Ｇ／Ｂ光源は、次々とＲ／Ｇ／Ｂ光を発射する。具体的に言えば、１フレーム照射する時間をＴとすると、Ｔ／３の時間ではＲ光源を照射し、それからのＴ／３の時間ではＧ光源を照射し、次のＴ／３の時間ではＢ光源を照射する。光源は、その他の順によっても次々と照射できると理解でき、例えば、Ｂ／Ｇ／Ｒ等である。
【００２６】
三つの光源（１０Ｒ、１０Ｇ、１０Ｂ）は、それぞれのスプリッタ５０Ｒ、５０Ｇ、５０Ｂによってディフューザー（２０）まで反射または透過照射される。
【００２７】
スプリッタ５０Ｇは、Ｇ光源（１０Ｇからの緑色レーザー）を反射して、そして余剰光線を透過させる役割を果たしていて、また、スプリッタ５０Ｇは、通常の可視光を全部反射する普通鏡とすることもできる。スプリッタ５０Ｒは、Ｒ光源（１０Ｒからの赤色レーザー）を反射して余剰波長範囲の光線を通す役割を果たしていて、スプリッタ５０Ｂは、Ｒ光源（１０Ｂからの青色レーザー）を反射して余剰波長範囲の光線を通す役割を果たしている。
【００２８】
ディフューザーは、光軸に垂直に振動しているので、ディフューザーを通すときに、光のランダム性（Randomness）は増加する。このようなディフューザーは、レーザーに特有のレーザースペックル（Speckle）を除去するために設置された装置で、レーザー光線のコヒーレンス（Coherence）という特徴を減少することに用いられ、それにより、レーザースペックル減少の目的を達成する。
【００２９】
ディフューザーを通した光はビームシェーパー（Beam Shaper）によってビームの形を変える。ビームの形を変える理由は、そのビームの形を整形して、光変調器（６０）の入射面の形に適応させ、それにより、光効率を高くするためである。ビームシェーパー（３０）の代表的な実例は、複眼レンズ（Fly Eye Lens）、ライトパイプ（Light Pipe）などである。図１で表示されているのは、ビームシェーパー（３０）の代表的な実例であり、基板上に何枚もの球面または非球面の小さいレンズからなる複眼レンズである。
【００３０】
複眼レンズ（３０）は、透明基板の上の何枚もの小型レンズからなるもので、これらの小型レンズが様々な形をして、例えば、四角形凸レンズ、六角形凸レンズ及び円形などである。しかし、光変調器の形（より正確に言えば、光変調器の有効的な画面の形画）と一致する方が良い。例えば、光変調器の有効的な画面が大略四角形であるならば、小型レンズの形も四角形である方が良い。そうすることで光損失が最小化される。
【００３１】
図１の実施例では、両面に小さいレンズがある両面複眼レンズを使用するが、片面型複眼レンズを使うこともできる。
【００３２】
対物レンズ（４０）は、ビームシェーパーによってシェーピングされた光線を集束するレンズで、通常、二つのレンズから構成されて、二つのレンズ間の距離を調節することによって、より正確な整列を達成することができる。
【００３３】
光変調器（６０）は、入射した光線を選択的に通過させ、ブロッキングし、或いは光路を変えて映像ピクチャーを形成する装置である。光変調器（６０）の代表的な実例は、デジタルマイクロミラーデバイス（Digital Micromirror Device、「ＤＭＤ」と略称）、液晶表示（Liquid Crystal Display、「ＬＣＤ」と略称）装置、ＬＣＯＳ（Liquid Crystal On Silicon、「ＬＣＯＳ」と略称）などがある。
【００３４】
ＤＭＤは、デジタルライトプロセッシング（Digital Light Processing、「ＤＬＰ」と略称）プロジェクターに用いられる装置で、それは、フィールドシーケンシャル（field sequential）というドライブ方式を利用して、ピクセル数が同じでマトリクス式で配列するデジタルミラー（digital mirror）に用いられる。ＤＬＰは、デジタルミラーによって光源からの光の光路を調節して、そして、反射板の反射によって漸進的変化（Gradation）を達成して、或いは映像を形成するプロジェクターである。
【００３５】
液晶表示装置（ＬＣＤ）は、選択的に液晶をＯＮ／ＯＦＦして、映像を形成する装置である。ＬＣＤ装置を用いたプロジェクターには、直視型（direct-view）、投射型、及び反射型がある。直視型投影は、液晶表示装置の裏面の背景光がＬＣＤパネルを通して映像を形成し、そして直接に観察できる方式である。投射型投影は、液晶表示装置によって形成された映像を投射レンズで拡大した後、スクリーンに投射して、スクリーンからの反射された映像を観察する方式である。反射型と投射型との構造は、ほぼ同じで、その区別は、反射型がＬＣＤの下の基板上に反射膜を設置していて、反射された光線が拡大されてスクリーンに投射されることにある。
【００３６】
ＬＣＯＳは、反射型液晶表示で、従来の液晶表示端の両面基板の下基板を透明ガラスからシリコン基板に変更して、反射型方式で作動する。
【００３７】
投射レンズ（７０）は、何枚ものレンズからなって、光変調器（６０）によって形成された映像をスクリーン（不図示）に拡大して投射する。
【００３８】
反射型光変調器なので、光変調器と投射レンズとの間に、偏光ビームスプリッタ（Polarizing Beam Splitter、「ＰＢＳ」と略称）（８０）がある。
【００３９】
ＰＢＳと対物レンズとの間に、入射偏光板（ｌ１０）もあって、光変調器へ入射する光に対して線形偏光濾過をする役割を果たしている。このような濾過によって、レーザー光源の場合で、緑色レーザー光源は、光を２０％〜３０％減少して、ＬＥＤの場合では、光を約半分に減少する。
【００４０】
本考案の第一実施例は、あるポータブル小型プロジェクターに関し、その構造は、ほぼ図２に表示されるように構成されている。
【００４１】
緑色の光源（１０Ｇ）からの光は、偏光膜（９０）を通して、Ｐ偏光とＳ偏光とに分離される。Ｐ偏光を反射してＳ偏光を通過させ、或いはＰ偏光を通過させてＳ偏光を反射して、どちらも、同じ結果を得ることができる。ここでは、Ｐ偏光を反射することを例にして説明する。
【００４２】
偏光膜（９０）を通して反射されたＰ偏光は、スプリッタ（５０Ｒ、５０Ｂ）、ディフューザー（２０）、ビームシェーパー（３０）、対物レンズ（４０）を経て、ＰＢＳ（２００）に入射する。スプリッタ（５０Ｒ）は、赤色光を反射して他の光を通過させる特性があり、スプリッタ（５０Ｂ）は、青色光を反射して他の光を通過させる特性があって、どちらも緑／赤／青という三原色を同一の光軸に統一する役割を果たしている。
【００４３】
ＰＢＳ（２００）の偏光膜（２０１）は、緑色の光源（１０Ｇ）の前に位置する偏光膜（９０）と相反して、Ｐ偏光を通過させて、そしてＳ偏光を反射する。よって、対物レンズを通した前記のＰ偏光は、ＰＢＳ（２００）を通して光変調器（６０１）に入射する。反射型光変調器（６０１）から反射された光は、位相変換によって、Ｓ偏光に変換される。変換後の光は、ＰＢＳ（２００）の偏光膜の反射によって、投射レンズに入射する。
【００４４】
赤色の光源（１０Ｒ）から発した光は、スプリッタ（５０Ｒ、５０Ｂ）を経て、前記の緑色光のＰ偏光と同一の通路で、投射レンズに入射する。
【００４５】
青色の光源（１０Ｂ）から発した光は、スプリッタ（５０Ｂ）を経て、前記の赤色光と同一の通路で、投射レンズに入射する。前記の赤色の光源（１０Ｒ）と青色の光源（１０Ｂ）とは、前記の緑色光のＰ偏光と同じＰ偏光に調整しなくてはならない。
【００４６】
緑色の光源（１０Ｇ）から発した光は、偏光膜（９０）を経て反射膜（８０）にて反射され、それからディフューザー（２０）、ビームシェーパー（３０）、対物レンズ（４０）を経て、ＰＢＳ（１００）に入射する。
【００４７】
ＰＢＳ（１００）の偏光膜（１０１）と偏光膜（２０１）は、同様にＳ偏光を反射してＰ偏光を通行させる。よってＰＢＳ（１００）に入射した光は、偏光膜（１０１）を経て反射されて光変調器（６０２）に入射する。それから、光変調器（６０２）を経て反射された光はＰ偏光に変換されて、偏光膜（１０１）を経て投射レンズに入射する。
【００４８】
偏光に分離された光は、緑色光のみであり、光変調器（６０２）は、当該緑色光の映像画面だけ変換する。したがって、緑色光の発光時間によって光変調するだけで良い。
【００４９】
図５は、偏光スプリッタをさらに詳しく説明する図面である。図５のように、偏光膜（９０）を経て反射された光は、直接、通過した光より、より長い光路を進行して、その光路差は、反射面（８０）を通った長さ（３００）に等しい。
【００５０】
長さ（３００）は、偏光スプリッタの厚さＴである。この光路差は、分離光の位相に影響するわけがない。レーザー光源の場合では、偏光の分離した光は緑色光なので、厚さＴは緑色レーザーの波長５３２ｎｍの２ｎπ倍（ｎは整数）でなくてはならない。
【００５１】
重要なことに、二本の光路の光路差が光波長の２ｎπ倍である。偏光スプリッタの厚さが５３２ｎｍの２ｎπ倍であるという方法以外に、その他の方法でもいい。例えば、ある一本の光路に一つの光路差調整部品を追加しても良く、この部品は、独立的なものでもよく、また、この光路のある光学素子表面上の透明フィルムでもいい。
【００５２】
三原色レーザー光源については、緑色レーザーの異なる偏光だけに対して光路分け処理をして、それにより、偏光スプリッタの厚さの設定によって、異なる光路の光路差によった位相差度を完全に除去することができて、特に現在緑色レーザーが周波数逓倍のみによって得ないで、線形偏光の割合がわりに低いことに適合する。
【００５３】
本考案の第二実施例は、小型プロジェクター用光学エンジンに関する。第二実施例は、第一実施例とほぼ同じで、その差異は主に次のことにある。
【００５４】
第一実施例では、光源は赤、緑、青という三原色のレーザー光源で、偏光スプリッタは緑色のレーザーだけを二本の光路に分離させて、赤色及び青色のレーザーは、ただ一本の光路にある。
【００５５】
しかし、第二実施例では、光源は赤、緑、青という三原色のＬＥＤ光源で、この三つの光源の光は、まず一本の光路を合成して、それから偏光スプリッタによって二本の偏光方式の異なる光路に分離させる。三つのＬＥＤ光源からの光が混合光なので、偏光方式の異なる光をそれぞれ変調した後、一つの光路に合わせて、それにより、光源効率を一倍ぐらい高めることができる。
【００５６】
第二実施例における一つのＬＥＤ光源を利用した光学エンジンの実例が図３に示される。説明を簡単にするために、偏光膜（９０）は、Ｐ偏光を反射してＳ偏光を通過させると設定する。偏光膜（９０）を通過したＳ偏光は、ビームシェーパー（３０）と対物レンズ（４０）を経てＰＢＳ（２００）に入射する。ＰＢＳ（２００）の偏光膜（２０１）は、Ｓ偏光を通過させてＰ偏光を反射する。同時にＰＢＳ（２００）に入射したＳ偏光は、光変調器に入射する。それから、光変調器（６０１）を通して反射された光は、Ｐ偏光に変換されて、偏光膜（２０１）を通して投射レンズ（７０）入射する。
【００５７】
この他に、偏光膜（９０）を通して反射されたＰ偏光は、反射膜（８０）を通してビームシェーパー（３０）、対物レンズ（４０）とＰＢＳ（１００）に入る。
【００５８】
ＰＢＳ（１００）の偏光膜（１０１）と偏光膜（２０１）は、同様にＰ偏光を反射してＳ偏光を通過させる。と同時に入射したＰ偏光は、偏光膜（１０１）を経て反射された後、光変調器（６０２）に入射する。それから、光変調器（６０２）によってＳ偏光に変換された反射光は、ＰＢＳ（１００）とＰＢＳ（２００）を経て投射レンズ（７０）入射する。
【００５９】
ＬＥＤの場合では、全波長の光が全部偏光に分離され、しかも、光度においては、緑の光の影響が最も大きいので、偏光スプリッタの厚さＴは、緑の光の波長５３２ｎｍの２ｎπ倍（ｎは整数）に調整するほうがいい。光源が多くのＬＥＤである場合では、偏光スプリッタがちょうど５３２ｎｍの２ｎπ倍でなくてもいい。可視光の中央波長付近のある波長の２ｎπ倍でさえあれば、一定の有益的な効果を得ることができる。
【００６０】
図３のような実例は、他の変化形態でもいいが、図４は一つの変化形態を示している。図４の変化形態は、図３に対して、反射ミラー５０Ｇが一つ多くあり、５０Ｇは緑色光のみ反射するものであれば、いかなる光を反射するものでもいい。
【００６１】
本考案の第三実施例は、小型プロジェクター用光学エンジンに関する。第三実施例は、第二実施例とほぼ同じであり、その差異は主に、第二実施例では光源を三つ使っているが、第三実施例では、光源をただ一つのみ使っていることにある。第三実施例における光学エンジンの構造は、図６のようである。第三実施例の典型的な実施例は、黒白映像を表示するミニプロジェクターで、このミニプロジェクターは、白光光源１０を一つ、反射ミラー５０を一つ使っている。白光光源を使わなくても良いが、モノクロレーザーを光源として使うのである。この時の画像は、モノクロ「グレースケール画像」で、カラー画像を必要としない場合に応用されることもできる。
【００６２】
本考案の第四実施例は、小型プロジェクター用光学エンジンに関する。第四実施例は、第一実施例とほぼ同じで、その差異は主に次のようである。
【００６３】
第一実施例では、光源を三つ使用しているが、第四実施例では混合光源を使用しており、すなわち、光源は、レーザー光源を少なくとも一つ、及びＬＥＤ光源を少なくとも一つ含むものである。光路の設置については、第一と第二実施例とを参考にでき、すなわち、線形偏光の割合が比較的低い光源（例えば、ＬＥＤ光源、及び周波数逓倍によったレーザー光源）を二つの偏光方式の異なる光路に分離させてそれぞれ調整した後、一つの光路に合成する。線形偏光の割合が比較的高い光源、例えば、周波数逓倍されていないレーザー光源は、ただ一本の光路に出てもよいし、同時に二本の光路に出てもいい。
【００６４】
本考案のいくつかの最適化された実施例を参照することによって、本考案について図示と説明を行ったが、この分野における一般的な技術者なら承知のように、本考案の精神と範囲を外れない前提で、形式と詳細ではこれに対して種々な変化を与えることが出来る。
【図１】
0003174812.tif 000003
【図２】
0003174812.tif 000004
【図３】
0003174812.tif 000005
【図４】
0003174812.tif 000006
【図５】
0003174812.tif 000007
【図６】
0003174812.tif 000008